(57)【特許請求の範囲】
【請求項１】
固定枠、前記固定枠に対して移動可能に配設された移動枠、前記移動枠を駆動するアクチュエータ、前記移動枠に固定された撮像素子、及び前記撮像素子に電気的に接続されるフレキシブルプリント回路基板、を含んで構成される撮像装置であって、
前記フレキシブルプリント回路基板は、前記撮像素子に対する相対的な位置が固定された基端部から延出し、前記固定枠に固定される固定部に至るまで他の部材と触れることなく延出する延出部を有し、
前記延出部には、当該延出部の延出方向に延在するスリット孔、及び当該延出部の延出方向に離間した2箇所において、当該延出部の延出方向と直交し前記撮像素子から見て谷折りとなるように当該延出部を鈍角に屈曲させ、前記スリット孔に交差する一対の折り曲げ部、が形成されている
ことを特徴とする撮像装置。
【請求項２】
前記フレキシブルプリント回路基板は、前記スリット孔及び前記折り曲げ部と重ならない位置に、電磁波吸収材からなる電磁波吸収シートが貼着されていることを特徴とする請求項１に記載の撮像装置。
【請求項３】
被写体から当該撮像装置に入射する第１光軸に対して前記撮像素子に入射する第２光軸が直交するように配置されたプリズムを備える撮像光学系部材を有し、
前記固定枠は、前記撮像光学系部材を保持し、前記第２光軸に直交する平面の断面が前記第１光軸に平行な短辺および前記第１光軸に直交する長辺からなる矩形状となる直方体状の外形を有しており、
前記移動枠は、前記固定枠の、前記第２光軸に沿う方向の一方の端部に配置されており、
前記フレキシブルプリント回路基板の前記延出部は、前記移動枠から前記第１光軸および前記第２光軸に直交する方向に延出した後に、前記第１光軸と平行な稜線を有する前記一対の折り曲げ部を経て前記固定枠の前記短辺からなる側面に固定された前記固定部に至る
ことを特徴とする請求項１に記載の撮像装置。
【発明の詳細な説明】
【技術分野】
【０００１】
本発明は、撮像素子を移動させる機構を備えた撮像装置に関する。
【背景技術】
【０００２】
静止画像又は動画像を撮像する撮像装置として、撮像装置の移動に応じてレンズや撮像素子を移動させることによって画像における被写体のブレを防止する、いわゆるブレ補正機能を備えたものが公知である。例えば、国際公開番号ＷＯ２００６／０７５５４５号公報には、レンズと撮像素子を有するレンズモジュールを移動させる手振れ補正装置が開示されている。
【０００３】
国際公開番号ＷＯ２００６／０７５５４５号公報においては、撮像素子を他の電気回路に電気的に接続するためのフレキシブルプリント回路基板にＵ字状の折り曲げ部を形成することによって、フレキシブルプリント回路基板が撮像素子の移動に応じて変形することが可能となっている。
【０００４】
国際公開番号ＷＯ２００６／０７５５４５号公報に開示されているように、撮像素子を移動させる撮像装置においては、撮像素子の移動に従って変形するフレキシブルプリント回路基板の変形に必要な力量が小さいほど好ましい。フレキシブルプリント回路基板の変形に必要な力量が小さければ、撮像素子を駆動する際の負荷が低減することから、例えば撮像素子を駆動するアクチュエータを小型化できる。
【０００５】
撮像素子の移動に従って変形するフレキシブルプリント回路基板の変形に必要な力量が小さくするには、フレキシブルプリント回路基板を薄くして柔軟なものとする方法や、フレキシブルプリント回路基板の変形する部分の長さを長くする方法が考えられる。
【０００６】
例えば、特開２０１２−０３２５４３号公報に開示の撮像装置においては、撮像素子に電気的に接続されるフレキシブルプリント回路基板に、Ｕ字状に折り返す折り曲げ部を２ヶ所形成することによって、フレキシブルプリント回路基板の変形する部分の長さを長くしている。
【先行技術文献】
【特許文献】
【０００７】
【特許文献１】国際公開番号ＷＯ２００６／０７５５４５号公報
【特許文献２】特開２０１２−０３２５４３号公報
【発明の概要】
【発明が解決しようとする課題】
【０００８】
フレキシブルプリント回路基板の変形に必要な力量が小さくするためにフレキシブルプリント回路基板を薄くする場合には、フレキシブルプリント回路基板の強度が低下するため、組み立て時に破損しやすくなってしまう。撮像装置を小型化する際には、強度の低いフレキシブルプリント回路基板を破損させることなく取り回す作業が特に困難なものとなってしまう。
【０００９】
また、フレキシブルプリント回路基板の変形する部分の長さを長くする場合には、長くした部分が他の部材と接触してしまうと撮像素子を駆動する際の負荷が増大してしまうことから、フレキシブルプリント回路基板を他の部材と接触しないように収容する必要がある。このため、フレキシブルプリント回路基板を収容する空間が大きくなり、撮像装置が大型化してしまう。
【００１０】
本発明は、上述した点に鑑みてなされたものであって、撮像素子を移動させるブレ補正機構部を備えた撮像装置を小型かつ組立が容易なものとすることを目的とする。
【課題を解決するための手段】
【００１１】
本発明の一態様の撮像装置は、固定枠、前記固定枠に対して移動可能に配設された移動枠、前記移動枠を駆動するアクチュエータ、前記移動枠に固定された撮像素子、及び前記撮像素子に電気的に接続されるフレキシブルプリント回路基板、を含んで構成される撮像装置であって、前記フレキシブルプリント回路基板は、前記撮像素子に対する相対的な位置が固定された基端部から延出し、前記固定枠に固定される固定部に至るまで他の部材と触れることなく延出する延出部を有し、
前記延出部には、当該延出部の延出方向に延在するスリット孔、及び当該延出部の延出方向に離間した2箇所において、当該延出部の延出方向と直交し前記撮像素子から見て谷折りとなるように当該延出部を鈍角に屈曲させ、前記スリット孔に交差する一対の折り曲げ部、が形成されている。
【発明の効果】
【００１２】
本発明によれば、撮像素子を移動させるブレ補正機構部を備えた撮像装置を小型かつ組立が容易なものとすることができる。
【図面の簡単な説明】
【００１３】
【図１】カメラの前面側を示す斜視図である。
【図２】カメラの背面側を示す部分断面図。
【図３】撮像装置の背面側を示す斜視図である。
【図４】ブレ補正機構部の背面側を示す部分拡大図である。
【図５】ブレ補正機構部の側面側を示す部分拡大図である。
【図６】ブレ補正機構部の底面側を示す部分拡大図である。
【図７】フレキシブルプリント回路基板の延出部の形状を示す部分拡大図である。
【図８】フレキシブルプリント回路基板の延出部の変形の様子を示す部分拡大図である。
【図９】撮像素子が回動する場合のフレキシブルプリント回路基板の延出部の変形の様子を示す部分拡大図である。
【図１０】撮像素子が回動する場合のフレキシブルプリント回路基板の延出部の変形の様子を示す部分拡大図である。
【発明を実施するための形態】
【００１４】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１５】
本実施形態は、一般にデジタルカメラやビデオカメラ等の撮像機能を備えた電子機器に配設され、撮像素子を備えた撮像装置に本発明を適用したものである。本実施形態では一例として、図１及び２に示すように、撮像装置１は、ＣＣＤやＣＭＯＳセンサ等の撮像素子２を有してなり、カメラ１０１内に配設されている。
【００１６】
また、本実施形態の撮像装置１は、被写体像を結像するためのレンズ等の撮像光学系部材を有して構成されている。撮像光学系部材は、プリズム３を含んでおり、プリズム３によって光軸を屈曲させる、いわゆる光路反射型、折り曲げ光学系、又は屈曲光学系等と称される形態を有している。本実施形態の撮像装置１ではカメラ１０１の被写体に面する側（前方）から入射する光を、プリズム３によって略９０度屈曲させて、撮像素子２に入射させる構成を有する。
【００１７】
以下の説明では、撮像光学系部材において、被写体からプリズム３に入射し、プリズム３の反射面に至るまでの光軸を第１光軸Ｏ１と称し、プリズム３の反射面から撮像素子２に至る光軸を第２光軸Ｏ２と称するものとする。
【００１８】
また、撮像装置１は、第２光軸Ｏ２上に配設された絞り、シャッター、ＮＤフィルタを有している。撮像装置１の、撮像光学系部材、絞り、シャッター、及びＮＤフィルタの構成に詳細については、周知のものであり、その詳細な説明は省略するものとする。
【００１９】
なお、撮像光学系部材の形態は本実施形態に限られるものではなく、プリズムを有さない形態のものであってもよい。また、本実施形態の撮像装置１は、撮像光学系部材を含んで構成されているが、撮像装置１は、撮像光学系部材を着脱可能であって、撮像光学系部材を交換可能に構成されたものであってもよい。
【００２０】
詳しくは後述するが、撮像装置１は、撮像素子２を移動可能に保持するブレ補正機構部１０を有して構成されている。このような撮像素子２を移動させるブレ補正機構部１０は、例えばイメージセンサシフト方式のブレ補正機構等と称される。
【００２１】
カメラ１０１は、箱形状の筐体１０２内に、撮像装置１、制御装置１０３、及び電源電池を収容する図示しない電池収容室を有して構成されている。制御装置１０３は、演算装置（ＣＰＵ）、記憶装置（ＲＡＭ）、補助記憶装置、入出力装置及び電力制御装置等を具備して構成されており、カメラ１０１の動作を、所定のプログラムに基づいて制御する構成を有している。
【００２２】
図２に示すように、撮像装置１と制御装置１０３とは、撮像素子用フレキシブルプリント回路基板２０（以下、撮像素子用ＦＰＣ２０と称する）、及び駆動用フレキシブルプリント回路基板３０（以下、駆動用ＦＰＣ３０と称する）を介して電気的に接続されている。撮像素子用ＦＰＣ２０及び駆動用ＦＰＣ３０は、それぞれの撮像素子１から延出した端部が、制御装置１０３に設けられたコネクタ１０３ｂ及び１０３ｃに接続される。
【００２３】
制御装置１０３は、撮像素子用ＦＰＣ２０を介して撮像装置１が備える撮像素子２に電気的に接続されており、撮像素子２の動作の制御、及び撮像素子２から出力される信号に基づく画像の生成、が可能に構成されている。
【００２４】
また、詳しくは後述するが、制御装置１０３は、駆動用ＦＰＣ３０を介して撮像装置１が備える電動モータ等のアクチュエータやフォトインタラプタ等のセンサに電気的に接続されている。撮像装置１が備えるアクチュエータの数や形態は特に限定されるものではないが、アクチュエータは、ブレ補正機構部１０に用いられるものの他に、合焦や撮影倍率の変更のためにレンズを駆動するためのものや、絞り、シャッター、ＮＤフィルタ等を駆動するためのもの等、撮像装置１の仕様に応じて適宜に設けられる。フォトインタラプタは、これらのアクチュエータのうちの少なくとも一部のものの初期位置を検出するために配設されるものである。
【００２５】
また、制御装置１０３には、加速度センサ及びジャイロスコープの少なくとも一方を有してなり、カメラ１０１の動きを検知するように構成された移動検知部１０３ａが設けられている。移動検知部１０３ａによって検出されたカメラ１０１の動きの情報は、撮像装置１の後述するブレ補正機構部１０の動作制御に用いられる。
【００２６】
カメラ１０１の筐体１０２の前面には、内部に配設された撮像装置１の光軸が通過する開口部１０２ａや閃光発光装置１０４等が設けられている。本実施形態では、開口部１０２ａは、透明なガラスが設けられている。なお、カメラ１０１は、撮像装置１の非撮影時に開口部１０２ａを遮蔽するバリア装置を有する形態であってもよい。
【００２７】
筐体１０２の上面部にはレリーズスイッチ１０５、電源操作スイッチ１０６等の操作部材が配設されている。また、図示しないが筐体１０２の側面部又は底面部には電池収容室を開閉するための蓋が設けられている。
【００２８】
また、筐体１０２の背面部には、例えばダイヤルスイッチ、ボタンスイッチ、タッチセンサ等の、カメラ１０１の動作指示を使用者が入力する入力するための操作部材が設けられている。また、筐体１０２の背面には、液晶表示装置又はＥＬ表示装置等からなり画像を表示し出力する画像表示装置１０７が設けられている。
【００２９】
次に、撮像装置１のブレ補正機構部１０について説明する。ブレ補正機構部１０は、撮像装置１の底面側に配設されている。ブレ補正機構部１０は、撮像素子２を、撮像光学系部材の光軸に対して移動可能に保持する構成を有している。
【００３０】
本実施形態では一例として、ブレ補正機構部１０は、第２光軸Ｏ２に略直交する平面上における２方向に撮像素子２を移動可能に保持している。より具体的には、図３に示すように、ブレ補正機構部１０は、第２光軸Ｏ２に略直交する平面上において第１光軸Ｏ１と略平行なＺ軸に沿う方向と、第２光軸Ｏ２に略直交する平面上においてＺ軸に略直交するＹ軸に沿う方向に、撮像素子２を移動可能に構成されている。Ｙ軸及びＺ軸は、撮像素子２の画素形成領域の外辺と略平行である。
【００３１】
なお、ブレ補正機構部１０は、Ｙ軸及びＺ軸に沿う方向の他に、第２光軸Ｏ２と略平行なＸ軸周りに撮像素子２を回動可能な形態であってもよいし、さらに撮像素子２をＹ軸周り及びＺ軸周りに回動可能な形態であってもよい。ブレ補正機構部１０は、Ｙ軸、Ｚ軸、Ｘ軸周りの回動軸、Ｙ軸周りの回動軸、及びＺ軸周りの回動軸の５軸のうちの少なくとも２軸について撮像素子２を移動させる形態であればよい。
【００３２】
より詳細には、本実施形態のブレ補正機構部１０は、第２光軸Ｏ２に対して位置が固定されている固定枠１１と、固定枠１１に対してＹ軸に沿って移動可能に配設された第１移動枠１２と、第１移動枠１２上においてＺ軸に沿って移動可能に配設された第２移動枠１３とを有して構成されている。
【００３３】
固定枠１１は、第２光軸Ｏ２に対して位置が固定された形態であればよく、撮像装置１の撮像光学系部材を保持する筐体と一体に構成されたものであってもよいし、撮像装置１の筐体から分離可能に構成されたものであってもよい。
【００３４】
第１移動枠１２は、例えば、固定枠１１に設けられた直線状のガイド軸によって、Ｙ軸方向に案内される。また、第２移動枠１３は、第１移動枠１２に設けられた直線状のガイド軸によって、Ｚ軸方向に案内される。
【００３５】
第２移動枠１３には、撮像素子２が固定されている。本実施形態では一例として、撮像素子２は、撮像素子搭載基板１６上に実装されており、撮像素子搭載基板１６が第２移動枠１３に固定されている。すなわち本実施形態においては、撮像素子２は、撮像素子搭載基板１６を介して第２移動枠１３に固定されている。
【００３６】
また、ブレ補正機構部１０には、第１移動枠１２及び第２移動枠１３をＹ軸及びＺ軸に駆動するためのアクチュエータである、第１駆動モータ１４及び第２駆動モータ１５が配設されている。第１駆動モータ１４及び第２駆動モータ１５は、それぞれ、撮像装置１の撮像素子２が配設された底面側において、Ｙ軸に沿う方向の両端部に配設されている。
【００３７】
本実施形態では一例として、第１駆動モータ１４及び第２駆動モータ１５は、固定枠１１に固定され、スクリューを回転駆動可能に構成された電動モータであり、このスクリューの回転運動をスクリューに螺合するナットによって直線運動に変換する構成を有する。なお、第１駆動モータ１４及び第２駆動モータ１５は、リニアモータであってもよい。
【００３８】
第１移動枠１２及び第２移動枠１３をＹ軸及びＺ軸に沿って移動可能に支持する構成、及び第１移動枠１２及び第２移動枠１３をＹ軸及びＺ軸にそって駆動する構成は、周知のブレ補正機構部と同様であるのでその詳細な説明は省略するものとする。
【００３９】
なお、本実施形態のブレ補正機構部１０は、第１移動枠１２及び第２移動枠１３の２つの移動枠がそれぞれＹ軸及びＺ軸に沿って移動することによって、撮像素子２をＹ軸及びＺ軸にそって移動させる構成であるが、ブレ補正機構部１０の形態はこれに限られるものではない。例えば、ブレ補正機構部１０は、第２光軸Ｏ２に直交する平面上において並進移動及び回転移動が可能な移動枠によって撮像素子を保持し、アクチュエータの推進力によって、撮像素子の移動及び撮像素子の位置決めを行う形態であってもよい。
【００４０】
ブレ補正機構部１０によって移動可能に保持された撮像素子２は、撮像素子用ＦＰＣ２０を介して、制御装置１０３に電気的に接続される。
【００４１】
本実施形態では、図３に示すように、撮像素子用ＦＰＣ２０は、一方の端部である基端部２０ｂが撮像素子２に対して相対的な位置が固定されており、他方の端部である先端部２０ａが制御装置１０３のコネクタ１０３ｂに接続可能に構成されている。撮像素子用ＦＰＣ２０は、基端部２０ｂから先端部２０ａにかけて、撮像装置１の外周面に沿って延在するように配設されている。
【００４２】
本実施形態では一例として、撮像素子用ＦＰＣ２０の基端部２０ｂは、撮像素子搭載基板１６に異方性導電接着剤等によって固定されている。なお、撮像素子用ＦＰＣ２０の基端部２０ｂは、撮像素子搭載基板１６を介さずに、直接的に撮像素子２に接続される形態であってもよい。例えば、撮像素子用ＦＰＣ２０の基端部２０ｂ上に撮像素子２が実装される形態であってもよい。
【００４３】
また、撮像素子用ＦＰＣ２０は、基端部２０ｂと先端部２０ａとの間に、光軸に対して固定された部材に固定される固定部２０ｃを有している。そして、撮像素子用ＦＰＣ２０は、基端部２０ｂから固定部２０ｃまでの間が、撮像素子搭載基板１６を除く撮像装置１を構成する他の部材に触れずに宙に浮いた状態となるように配設されている。
【００４４】
本実施形態では一例として、撮像素子用ＦＰＣ２０の固定部２０ｃは、ブレ補正機構部１０の固定枠１１に固定されている。なお、撮像素子用ＦＰＣ２０の固定部２０ｃが固定される部材は、撮像装置１を構成する部材のうち、第２光軸Ｏ２に対して固定された部材に固定される形態であればよく、特に限定されるものではない。
【００４５】
固定部２０ｃは、例えば接着テープ、両面接着テープ、又は接着剤等による接着による力や、固定枠１１への嵌め込み、かしめ、又はネジ締結等の機械的な力の少なくとも一方によって、固定枠１１に固定されている。
【００４６】
言い換えれば、撮像素子用ＦＰＣ２０は、撮像素子２に対する相対的な位置が固定された基端部２０ｂから延出し、固定枠１１に固定される固定部２０ｃに至るまで多の部材と触れることのないように設けられた延出部２１を有して構成されている。
【００４７】
図７は、撮像素子用ＦＰＣ２０の固定部１１から他方の端部２０ｂにかけての延出部２１の形状を示す部分拡大斜視図である。
【００４８】
より詳細には、図４及び図７に示すように、固定枠１１の第２光軸Ｏ２に沿う側面部には、撮像素子２が設けられた底面側に向かうにつれて第２光軸Ｏ２に近づくように傾斜した斜面である接着面１１ａが形成されている。接着面１１ａは、撮像素子２よりも、物体側（図４における上方側）に設けられている。この接着面１１ａ上には、撮像素子用ＦＰＣ２０の固定部２０ｃが、両面接着テープ１７によって固定されている。
【００４９】
この固定部２０ｃから、撮像素子搭載基板１６に固定された部位である基端部２０ｂに至るまでの延出部２１には、外力が加えられない自由状態において略所定の角度で折れ曲がるように形成された折り曲げ部が３ヶ所設けられている。このような、フレキシブルプリント回路基板を自由状態において折れ曲がった状態とする加工を、一般にフォーミングと称する。
【００５０】
以下の説明では、延出部２１の３ヶ所の折り曲げ部には、固定部２０ｃに近いものから順に、２１ａ、２１ｂ及び２１ｃの符号を付すものとする。折り曲げ部２１ａ、２１ｂ及び２１ｃは、いずれも、Ｚ軸に略平行な稜線を有するように形成されている。
【００５１】
固定部２０ｃに最も近い折り曲げ部２１ａは、稜線が第２光軸Ｏ２側に向くように形成されている。すなわち、折り曲げ部２１ａの稜線は、撮像装置１の内側に向いているのであり、第２光軸Ｏ２側から見て山折りの状態である。したがって、延出部２１は、固定部２０ｃから折り曲げ部２１ａに至るまでは撮像装置１の内側に向かい、延出部２１の折り曲げ部２１ａよりも他方の端部２０ｂ側は、撮像装置１の外側に向かう。
【００５２】
折り曲げ部２１ｂ及び２１ｃは、いずれも鈍角または略直角であり、稜線が第２光軸Ｏ２とは反対側を向くように形成されている。すなわち、折り曲げ部２１ｂは、撮像装置１の外側を向いており、第２光軸Ｏ２側から見て谷折りの状態である。この２ヶ所の折り曲げ部２１ｂ及び２１ｃが形成されていることによって、延出部２１は、撮像装置１の底面側においてＹ軸に沿う方向の端部に配設されている第２駆動モータ１５の外側を回り込んで基端部２０ｂが撮像素子搭載基板１６にまで至る形状を有している。
【００５３】
そして、図５、図６及び図７に示すように、本実施形態の撮像素子用ＦＰＣ２０の延出部２１には、長手方向が延出方向に沿うように設けられたスリット孔２２が形成されている。スリット孔２２は、延出部２１の幅方向の略中央において、３つの折り曲げ部２１ａ、２１ｂ及び２１ｃにかかるように形成されている。すなわち、延出部２１は、３つの折り曲げ部２１ａ、２１ｂ及び２１ｃが形成された領域において、幅方向に２つに分割されている。
【００５４】
言い換えれば、本実施形態の撮像素子用ＦＰＣ２０の延出部２１には、延出方向に延在するスリット孔２２と、スリット孔２２に交差し、延出方向に配列された複数の折り曲げ部２１ａ、２１ｂ及び２１ｃと、が形成されている。
【００５５】
図４における２点鎖線は、ブレ補正機構部１０によって撮像素子２がＹ軸方向に駆動された場合における、延出部２１の変形の様子を示している。また、図８は、ブレ補正機構部１０によって撮像素子２がＹ軸方向に駆動された場合における、延出部２１の変形の様子を示している。
【００５６】
図４及び図８に示すように、本実施形態の撮像素子用ＦＰＣ２０の延出部２１は、ブレ補正機構部１０による撮像素子２の移動に基端部２１ｂが追従するように変形可能である。ここで、延出部２１は、主に複数の折り曲げ部２１ａ、２１ｂ及び２１ｃにおいてこれらの屈曲角度が変わるように変形するため、変形時に必要な力量が小さい。また、延出部２１には、スリット孔２２が形成されていることにより、延出部２１の変形する箇所の幅が狭くなることから、より、変形時に必要な力量が小さくなる。
【００５７】
このため、撮像素子用ＦＰＣ２０を薄くすることなく、撮像素子２を駆動する際にブレ補正機構部１０にかかる負荷を低減することができる。よって、撮像素子用ＦＰＣ２０を、組立作業時に扱いが容易な厚さとすることができ、撮像装置１の組立が容易となる。また、撮像素子２を駆動する際にブレ補正機構部１０にかかる負荷が低いことから、第１駆動モータ１４及び第２駆動モータ１５を出力の低い小型なものとすることができる。
【００５８】
また、延出部２１は、Ｕ字状に折り返す形状を必要とせずに、基端部２１ｂが追従するように変形可能であることから、延出部２１を他の部材と接触しないように収容するための空間を小さくすることが可能である。本実施形態では、延出部２１が、撮像装置１の角部において、この角部に沿って略Ｌ字状に屈曲する形状であることから、延出部２１の配設に必要な空間は僅かである。
【００５９】
以上に説明したように、本実施形態の撮像装置１は、撮像素子２を移動させるブレ補正機構部１０を備えて構成されたものであり、小型かつ組立が容易である。
【００６０】
また、本実施形態では一例として、図７に示すように、延出部２１には、電磁波吸収材からなる電磁波吸収シート２３が貼着されている。電磁波吸収シート２３は、スリット孔２２、折り曲げ部２１ａ、２１ｂ及び２１ｃに重ならない位置に貼着されている。このように、撮像装置１の外周部に延在する撮像素子用ＦＰＣ２０に電磁波吸収シート２３を貼着することによって、撮像装置１の電磁波対策を行うことができる。
【００６１】
なお、上述した本実施形態では、ブレ補正機構部１０は、撮像素子２を第２光軸Ｏ２に略直交する平面上において駆動する構成であるが、ブレ補正機構部１０の構成は本実施形態に限られるものではない。例えば、図９及び図１０に示すように、ブレ補正機構部１０は、撮像素子２を第２光軸Ｏ２に略直交するＺ軸周り及びＹ軸周りに回動させる構成を有していてもよい。このように、ブレ補正機構部１０が撮像素子２を回動させる構成を有する場合であっても、撮像素子用ＦＰＣ２０は、撮像素子２の回動に追従して小さな力量で変形可能である。
【００６２】
なお、本発明は、上述した実施形態に限られるものではなく、特許請求の範囲及び明細書全体から読み取れる発明の要旨或いは思想に反しない範囲で適宜変更可能であり、そのような変更を伴う撮像装置もまた本発明の技術的範囲に含まれるものである。
【００６３】
本発明に係る撮像装置は、上述の実施形態で説明したカメラとしての形態に限らず、録音機器、携帯通信端末、ゲーム機、デジタルメディアプレーヤー、時計、ナビゲーション装置等の電子機器に備えられる撮像装置であってもよいことは言うまでもない。
【産業上の利用可能性】
【００６４】
前述のように、本発明は、ブレ補正機構部を備えた撮像装置に対して好適である。
【符号の説明】
【００６５】
１    撮像装置、
２    撮像素子、
３    プリズム、
１０    ブレ補正機構部、
１１    固定枠、
１１ａ    接着面、
１２    第１移動枠、
１３    第２移動枠、
１４    第１駆動モータ、
１５    第２駆動モータ、
１６    撮像素子搭載基板、
１７    両面接着テープ、
２０    撮像素子用フレキシブルプリント回路基板（撮像素子用ＦＰＣ）、
２０ａ    端部、
２０ｂ    他方の端部、
２０ｃ    固定部、
２１    延出部、
２１ａ    折り曲げ部、
２１ｂ    折り曲げ部、
２１ｃ    折り曲げ部、
２２    スリット孔、
２３    電磁波吸収シート、
３０    駆動用フレキシブルプリント回路基板（駆動用ＦＰＣ）、
１０１    カメラ、
１０２    筐体、
１０２ａ    開口部、
１０３    制御装置、
１０３ａ    移動検知部、
１０３ｂ    コネクタ、
１０３ｃ    コネクタ、
１０４    閃光発光装置、
１０５    レリーズスイッチ、
１０６    電源操作スイッチ。
【図１】
0006005984.tif 000002
【図２】
0006005984.tif 000003
【図３】
0006005984.tif 000004
【図４】
0006005984.tif 000005
【図５】
0006005984.tif 000006
【図６】
0006005984.tif 000007
【図７】
0006005984.tif 000008
【図８】
0006005984.tif 000009
【図９】
0006005984.tif 000010
【図１０】
0006005984.tif 000011